(57)【要約】【課題】暗い環境下であっても、投写面の周辺を容易に照明可能なプロジェクタ及びその制御方法を提供する。【解決手段】プロジェクタ１は、ＤＶＤ再生部２５がＤＶＤコンテンツを再生している状態で、操作パネル２２又はリモコン２３の電源キーが操作された場合、照度センサ３３の検知結果に応じて異なる動作を行う。具体的には、周囲の明るさが所定の明るさ以上の場合には、制御部２０は、ＤＶＤコンテンツの再生を停止させた後で、光源１１を消灯させてスタンバイ状態に移行させる。一方、周囲の明るさが所定の明るさよりも暗い場合には、プロジェクタ１は、ＤＶＤコンテンツの再生を一時停止させるとともに、白色の無地画像上にメッセージを重畳させた画像（照明画像）を画像投写部１０から投写して、投写面Ｓの周辺を照明する。【選択図】図２
2009258333.tif 000002
【特許請求の範囲】
【請求項１】
光源から射出された光を変調して画像を形成し、当該画像を投写面に投写する画像投写部と、
記録媒体に記録された情報を読み取り、当該情報に基づく画像を前記画像投写部に投写させて再生する画像再生部と、
電源のオンとオフとを切り替えるための電源キーを含む複数の操作キーが配列された入力操作部と、
前記入力操作部になされた入力操作に基づいて、前記画像投写部及び前記画像再生部の動作を制御する制御部と、
を備え、
前記制御部は、前記情報に基づく画像を再生している状態で前記電源キーが操作された場合に、前記画像再生部に前記画像の再生を一時停止させるとともに、前記画像投写部に前記投写面の周辺を照明するための照明画像を投写させることを特徴とするプロジェクタ。
【請求項２】
請求項１に記載のプロジェクタであって、
前記電源キーは、前記複数の操作キーの配列の中で端に位置していることを特徴とするプロジェクタ。
【請求項３】
請求項１又は２に記載のプロジェクタであって、
周囲の明るさを検知する照度検知部をさらに備え、
前記制御部は、前記照度検知部の検知結果が所定の明るさよりも暗いことを示す場合にのみ、前記画像の再生を一時停止させるとともに前記照明画像を投写させることを特徴とするプロジェクタ。
【請求項４】
請求項１〜３のいずれか１項に記載のプロジェクタであって、
前記照明画像は、白色光により形成されていることを特徴とするプロジェクタ。
【請求項５】
請求項１〜４のいずれか１項に記載のプロジェクタであって、
前記照明画像は、前記画像の再生が一時停止中であることを報知するメッセージ、及び以降の操作を案内するメッセージの少なくとも一方を含んでいることを特徴とするプロジェクタ。
【請求項６】
光源から射出された光を変調して画像を形成し、当該画像を投写面に投写する画像投写部と、記録媒体に記録された情報を読み取り、当該情報に基づく画像を前記画像投写部に投写させて再生する画像再生部と、電源のオンとオフとを切り替えるための電源キーを含む複数の操作キーが配列された入力操作部とを備えたプロジェクタの制御方法であって、
前記記録媒体に記録された前記情報に基づく画像を再生している状態で、前記電源キーの操作を受け付ける電源操作ステップと、
前記電源操作ステップの後で、前記画像再生部が前記画像の再生を一時停止させる再生停止ステップと、
前記電源操作ステップの後で、前記画像投写部が前記投写面の周辺を照明するための照明画像を投写する照明ステップと、
を備えたことを特徴とするプロジェクタの制御方法。
【発明の詳細な説明】
【技術分野】
【０００１】
本発明は、画像を投写するプロジェクタ及びその制御方法に関する。
【背景技術】
【０００２】
光源から射出された光を変調して画像を形成し、この画像をスクリーン等に投写するプロジェクタは、映画等の鑑賞に用いられる際、夜間に照明機器を消灯させた室内のように、遮光された環境下で利用されることが多い。このため、プロジェクタから光（画像）が投写されていない状態では、室内が真っ暗になってしまうため、画像の鑑賞を中断して休憩したり他の作業を行ったりするためには、室内の照明機器を点灯させる必要があった。
【０００３】
特許文献１には、ＤＶＤ等の記録媒体に記録された画像を再生する画像再生部を一体的に備えたプロジェクタにおいて、画像の再生中に所定のキー（ブレイクスイッチ）が操作されると、画像の再生を停止するとともに、停止中である旨を表す案内画像を所定の明るさで投写するプロジェクタが提案されている。このプロジェクタによれば、部屋の照明機器を点灯させることなく、スクリーンの近傍を明るくすることができる。
【０００４】
【特許文献１】特開２００５−９４４７５号公報
【発明の開示】
【発明が解決しようとする課題】
【０００５】
しかしながら、特許文献１に記載のプロジェクタであっても、映画等の暗い場面を表示している状態では室内が非常に暗くなるため、ブレイクスイッチの位置が認識しづらくなって操作に迷ったり、誤って異なるキーを操作してしまったりする事態が生じやすい。
【課題を解決するための手段】
【０００６】
本発明は、上述の課題の少なくとも一部を解決するためになされたものであり、以下の形態又は適用例として実現することが可能である。
【０００７】
［適用例１］本適用例に係るプロジェクタは、光源から射出された光を変調して画像を形成し、当該画像を投写面に投写する画像投写部と、記録媒体に記録された情報を読み取り、当該情報に基づく画像を前記画像投写部に投写させて再生する画像再生部と、電源のオンとオフとを切り替えるための電源キーを含む複数の操作キーが配列された入力操作部と、前記入力操作部になされた入力操作に基づいて、前記画像投写部及び前記画像再生部の動作を制御する制御部と、を備え、前記制御部は、前記情報に基づく画像を再生している状態で前記電源キーが操作された場合に、前記画像再生部に前記画像の再生を一時停止させるとともに、前記画像投写部に前記投写面の周辺を照明するための照明画像を投写させることを特徴とする。
【０００８】
このプロジェクタによれば、画像を再生している状態で電源キーが操作された場合に、画像の再生を一時停止して、投写面の周辺を照明するための照明画像を投写するため、ユーザは、暗い環境下で画像を鑑賞していた場合であっても、照明機器を点灯させることなく他の作業を行うことが可能となる。ここで、電源キーは、複数の操作キーの配列の中で、他の操作キーと容易に識別できるように備えられていることから、ユーザは、暗い環境下であっても、再生の一時停止と照明画像の投写を容易に指示することが可能となる。
【０００９】
［適用例２］上記適用例に係るプロジェクタにおいて、前記電源キーは、前記複数の操作キーの配列の中で端に位置していることが望ましい。
【００１０】
このプロジェクタによれば、複数の操作キーの配列の中で電源キーが端に位置しているため、電源キーと他の操作キーとの識別が容易になる。
【００１１】
［適用例３］上記適用例に係るプロジェクタにおいて、周囲の明るさを検知する照度検知部をさらに備え、前記制御部は、前記照度検知部の検知結果が所定の明るさよりも暗いことを示す場合にのみ、前記画像の再生を一時停止させるとともに前記照明画像を投写させることが望ましい。
【００１２】
このプロジェクタによれば、照度検知部の検知結果が所定の明るさよりも暗いことを示す場合にのみ、再生の一時停止と照明画像の投写とを行うため、照明画像の投写が不要な明るい環境下では、電源キーを本来の用途（電源のオンとオフとを切り替える用途）に用いることが可能となる。
【００１３】
［適用例４］上記適用例に係るプロジェクタにおいて、前記照明画像は、白色光により形成されていることが望ましい。
【００１４】
このプロジェクタによれば、照明画像が白色光で形成されているため、違和感のない自然な照明を行うことが可能となる。
【００１５】
［適用例５］上記適用例に係るプロジェクタにおいて、前記照明画像は、前記画像の再生が一時停止中であることを報知するメッセージ、及び以降の操作を案内するメッセージの少なくとも一方を含んでいることが望ましい。
【００１６】
このプロジェクタによれば、照明画像に、画像の再生が一時停止中であることを報知するメッセージ、及び以降の操作を案内するメッセージの少なくとも一方が含まれているため、ユーザの利便性が向上する。
【００１７】
［適用例６］本適用例に係るプロジェクタの制御方法は、光源から射出された光を変調して画像を形成し、当該画像を投写面に投写する画像投写部と、記録媒体に記録された情報を読み取り、当該情報に基づく画像を前記画像投写部に投写させて再生する画像再生部と、電源のオンとオフとを切り替えるための電源キーを含む複数の操作キーが配列された入力操作部とを備えたプロジェクタの制御方法であって、前記記録媒体に記録された前記情報に基づく画像を再生している状態で、前記電源キーの操作を受け付ける電源操作ステップと、前記電源操作ステップの後で、前記画像再生部が前記画像の再生を一時停止させる再生停止ステップと、前記電源操作ステップの後で、前記画像投写部が前記投写面の周辺を照明するための照明画像を投写する照明ステップと、を備えたことを特徴とする。
【００１８】
このプロジェクタの制御方法によれば、画像を再生している状態で電源キーが操作された場合に、画像の再生を一時停止して、投写面の周辺を照明するための照明画像を投写するため、ユーザは、暗い環境下で画像を鑑賞していた場合であっても、照明機器を点灯させることなく他の作業を行うことが可能となる。ここで、電源キーは、複数の操作キーの配列の中で、他の操作キーと容易に識別できるように備えられていることから、ユーザは、暗い環境下であっても、再生の一時停止と照明画像の投写を容易に指示することが可能となる。
【００１９】
また、上述したプロジェクタ及びその制御方法がプロジェクタに備えられたコンピュータを用いて構築されている場合には、上記形態及び上記適用例は、その機能を実現するためのプログラム、或いは当該プログラムを前記コンピュータで読み取り可能に記録した記録媒体等の態様で構成することも可能である。記録媒体としては、フレキシブルディスクやＣＤ−ＲＯＭ、光磁気ディスク、ＩＣカード、ＲＯＭカートリッジ、パンチカード、バーコード等の符号が印刷された印刷物、プロジェクタの内部記憶装置（ＲＡＭやＲＯＭ等のメモリ）、及び外部記憶装置等、前記コンピュータが読み取り可能な種々の媒体を利用することができる。
【発明を実施するための最良の形態】
【００２０】
以下、本実施形態のプロジェクタについて説明する。本実施形態のプロジェクタは、ＤＶＤ（Digital Versatile Disc）を再生可能なＤＶＤ再生部を備えており、ＤＶＤメディアに記録されている情報に基づく画像を投写することが可能になっている。
【００２１】
図１は、本実施形態のプロジェクタの斜視図である。
図１に示すように、プロジェクタ１は、装置本体が筐体２によって覆われた構成を有している。筐体２の前面２ｆには、スクリーン等の投写面に画像を投写する投写レンズ１３や、記録媒体であるＤＶＤメディアを挿入するためのディスクスロット３、音声を出力するスピーカ３０が設けられており、筐体２の上面２ｔには、プロジェクタ１に対して各種指示を行うための操作パネル２２が備えられている。また、プロジェクタ１は、リモコン２３による遠隔操作も可能になっており、筐体２の前面２ｆには、リモコン２３から送信される赤外線の操作信号を受信するための受信部２４が設けられている。
【００２２】
図２は、プロジェクタ１の概略構成を示すブロック図である。
図２に示すように、プロジェクタ１は、画像投写部１０、制御部２０、記憶部２１、操作パネル２２、リモコン２３、受信部２４、ＤＶＤ再生部２５、画像処理部２６、ＯＳＤ処理部２７、音声処理部２８、音声出力部２９、スピーカ３０、電源回路３１、光源制御部３２、照度センサ３３等を備えている。
【００２３】
画像投写部１０は、光源１１、光変調装置としての３つの液晶ライトバルブ１２Ｒ，１２Ｇ，１２Ｂ、投写光学系としての投写レンズ１３、ライトバルブ駆動部１４等で構成されている。画像投写部１０は、表示部に相当するものであり、光源１１から射出された光を、液晶ライトバルブ１２Ｒ，１２Ｇ，１２Ｂで変調して画像を形成し、この画像を投写レンズ１３からスクリーン等の投写面Ｓに投写する。
【００２４】
光源１１は、超高圧水銀ランプやメタルハライドランプ等からなる放電型の光源ランプ１１ａと、光源ランプ１１ａが放射した光を液晶ライトバルブ１２Ｒ，１２Ｇ，１２Ｂ側に反射するリフレクタ１１ｂとを含んで構成されている。光源１１から射出された光は、図示しないインテグレータ光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００２５】
液晶ライトバルブ１２Ｒ，１２Ｇ，１２Ｂは、一対の透明基板間に液晶が封入された液晶パネル等によって構成される。液晶ライトバルブ１２Ｒ，１２Ｇ，１２Ｂには、マトリクス状に配列された複数の画素が形成されており、液晶に対して画素毎に駆動電圧を印加可能になっている。ライトバルブ駆動部１４が、入力される画像情報に応じた駆動電圧を各画素に印加すると、各画素は、画像情報に応じた光透過率に設定される。このため、光源１１から射出された光は、この液晶ライトバルブ１２Ｒ，１２Ｇ，１２Ｂを透過することによって変調され、画像情報に応じた画像が色光毎に形成される。形成された各色の画像は、図示しない色合成光学系によって画素毎に合成されてカラー画像となった後、投写レンズ１３によって拡大投写される。
【００２６】
制御部２０は、ＣＰＵ（Central Processing Unit）や、各種データ等の一時記憶に用いられるＲＡＭ（Random Access Memory）等を備え、記憶部２１に記憶されている制御プログラムに従って動作することによりプロジェクタ１の動作を統括制御する。つまり、制御部２０は、記憶部２１とともにコンピュータとして機能する。
【００２７】
記憶部２１は、マスクＲＯＭ（Read Only Memory）や、フラッシュメモリ、ＦｅＲＡＭ（Ferroelectric RAM：強誘電体メモリ）等の不揮発性のメモリにより構成されている。記憶部２１には、プロジェクタ１の動作を制御するための制御プログラムや、プロジェクタ１の動作条件等を規定する各種設定データ等が記憶されている。
【００２８】
操作パネル２２及びリモコン２３は、ユーザからの入力操作を受け付ける入力操作部に相当するものであり、操作パネル２２及びリモコン２３には、ユーザがプロジェクタ１に対して各種指示を行うための複数の操作キーが配列されている。
【００２９】
図３は、操作パネル２２を示す平面図であり、図４は、リモコン２３を示す平面図である。
図３及び図４に示すように、操作パネル２２及びリモコン２３が備える操作キーとしては、電源のオンとオフとを交互に切り替えるための電源キー４１，５１や、ＤＶＤの再生に関わる各種指示（再生、停止、一時停止等）を行うためのＤＶＤ操作キー４２，５２、スピーカ３０から出力される音声の音量を調整するための音量キー４３，５３等がある。ここで、電源キー４１，５１は、複数の操作キーの配列の中で端に位置しているため、他の操作キーと容易に識別できるようになっている。
【００３０】
図２に戻って、ユーザが操作パネル２２の各種操作キーを操作すると、操作パネル２２は、ユーザの操作内容（操作された操作キー）に応じた操作信号を制御部２０に出力する。また、ユーザがリモコン２３の各種操作キーを操作すると、リモコン２３は、ユーザの操作内容に応じた赤外線の操作信号を発し、受信部２４がこれを受信して制御部２０に伝達する。
【００３１】
ＤＶＤ再生部２５は、画像再生部に相当するものであり、記録媒体（ＤＶＤメディアＭ）に記録されているＤＶＤコンテンツを再生する。具体的には、ＤＶＤ再生部２５は、制御部２０の指示に基づいて、ディスクスロット３に挿入されたＤＶＤメディアＭをスピンドルモータ（図示せず）で回転させるとともに、光ピックアップ（図示せず）を走査して、ＤＶＤメディアＭに記録されている情報（データストリーム）を順次読み取る。さらに、ＤＶＤ再生部２５は、読み取ったデータストリームを画像信号と音声信号とに分離する処理や、分離した画像信号や音声信号をデコード（復号化）する処理等を行い、処理後の画像信号を画像処理部２６に出力し、処理後の音声信号を音声処理部２８に出力する。
【００３２】
画像処理部２６は、制御部２０の指示に基づいて、ＤＶＤ再生部２５から入力される画像信号から、液晶ライトバルブ１２Ｒ，１２Ｇ，１２Ｂの各画素の光透過率を表す画像情報、即ち各画素に印加する駆動電圧を規定するための画像情報を生成する。画像処理部２６で生成された画像情報は、ＯＳＤ処理部２７に出力される。
【００３３】
また、画像処理部２６は、制御部２０から所定の指示があった場合には、ＤＶＤコンテンツ（ＤＶＤ画像）の代わりに、白色光からなる無地画像を形成すべく、液晶ライトバルブ１２Ｒ，１２Ｇ，１２Ｂのすべての画素の光透過率が最大となるような画像情報を生成し、これをＯＳＤ処理部２７に出力する。
【００３４】
ＯＳＤ処理部２７は、制御部２０の指示に基づいて、画像処理部２６から入力される画像情報に基づく画像（入力画像）の上に、メニュー画像やメッセージ画像等のＯＳＤ（オンスクリーンディスプレイ）画像を重畳するための処理を行う。ＯＳＤ処理部２７は、図示しないＯＳＤメモリを備えており、ＯＳＤ画像を形成するための図形やフォント等を表すＯＳＤ画像情報を記憶している。制御部２０が、ＯＳＤ画像の重畳を指示すると、ＯＳＤ処理部２７は、必要なＯＳＤ画像情報をＯＳＤメモリから読み出し、入力画像の所定の位置にＯＳＤ画像が重畳されるように、画像処理部２６から入力される画像情報にこのＯＳＤ画像情報を合成する。ＯＳＤ画像情報が合成された画像情報は、ライトバルブ駆動部１４に出力される。なお、制御部２０からＯＳＤ画像を重畳する旨の指示がない場合には、ＯＳＤ処理部２７は、画像処理部２６から入力される画像情報を、そのままライトバルブ駆動部１４に出力する。
【００３５】
ライトバルブ駆動部１４が、入力される画像情報に従って液晶ライトバルブ１２Ｒ，１２Ｇ，１２Ｂを駆動すると、液晶ライトバルブ１２Ｒ，１２Ｇ，１２Ｂは、画像情報に応じた画像を形成し、この画像が投写レンズ１３から投写される。
【００３６】
音声処理部２８は、制御部２０の指示に基づいて、ＤＶＤ再生部２５から入力される音声信号に、その出力特性を調整するための処理（例えば、音質を調整する処理等）を施す。音声処理部２８で調整処理がされた音声信号は、音声出力部２９に出力される。
【００３７】
音声出力部２９は、図示しない増幅回路等を備えており、音声処理部２８で調整処理がなされた音声信号に基づいて、スピーカ３０から音声を出力する。
【００３８】
電源回路３１には、外部からＡＣ１００Ｖ等の商用電源が供給される。電源回路３１は、商用電源（交流電源）を所定の電圧の直流電源に変換して、プロジェクタ１の各部に電力を供給する。また、電源回路３１は、制御部２０の指示に基づいて、画像の投写に必要な電力（動作電力）を各部に供給する状態（電源オンの状態）と、動作電力の供給を停止して、電源をオンにするための操作を待機する状態（スタンバイ状態）とを切り替えることができる。
【００３９】
光源制御部３２は、制御部２０の指示に基づいて、光源１１に対する電力の供給と停止とを制御し、光源１１の点灯及び消灯を切り替える。
【００４０】
照度センサ３３は、照度検知部に相当するものであり、プロジェクタ１の周囲の明るさ（照度）を検知して、検知結果を制御部２０に出力する。なお、投写レンズ１３から投写される光（画像）の影響を抑制するために、照度センサ３３は、筐体２の背面側に配置されることが望ましい。
【００４１】
次に、プロジェクタ１の動作について説明する。
プロジェクタ１に商用電源が供給されると、電源回路３１は、制御部２０、記憶部２１、操作パネル２２、受信部２４に電力（スタンバイ電力）の供給を行い、制御部２０は、この電力供給を受けて、制御プログラムに従った動作を開始する。商用電源が供給された直後には、プロジェクタ１は、スタンバイ状態（「電源オフの状態」ともいう）であり、光源１１を消灯させた状態を維持している。そして、ユーザが、操作パネル２２或いはリモコン２３の電源キー４１，５１を操作すると、制御部２０は、電源回路３１に指示をして各部に動作電力を供給させ、プロジェクタ１を電源オンの状態にするとともに、光源制御部３２に指示をして光源１１を点灯させる。つまり、スタンバイ状態は、電源オンの状態に移行するための操作を待機する状態であり、電源オンの状態に比べて電力消費は僅かである。
【００４２】
電源オンの状態に移行して光源１１が点灯すると、制御部２０は、ＤＶＤ再生部２５に対してＤＶＤコンテンツの再生を指示する。そして、ＤＶＤ再生部２５は、ディスクスロット３にＤＶＤメディアＭが挿入された状態であれば、記録されている情報の読み取りを開始して、画像信号及び音声信号をそれぞれ画像処理部２６及び音声処理部２８に出力する。この結果、画像信号に基づく画像が画像投写部１０から投写されるとともに、音声信号に基づく音声がスピーカ３０から出力され、ＤＶＤコンテンツの再生が開始する。なお、ディスクスロット３にＤＶＤメディアＭが挿入されていない状態であれば、ＤＶＤ再生部２５は、ユーザによってＤＶＤメディアＭが挿入されるのを待機し、ＤＶＤメディアＭが挿入された後で、ＤＶＤコンテンツの再生を開始する。
【００４３】
ＤＶＤコンテンツが再生されている状態で、ＤＶＤ操作キー４２，５２に含まれる停止キーが操作されると、制御部２０は、ＤＶＤ再生部２５に指示をして、ＤＶＤコンテンツの再生を停止させる。そして、ＤＶＤコンテンツの再生が停止した状態で、電源キー４１，５１が操作されると、プロジェクタ１は、光源１１を消灯させて、スタンバイ状態に移行する。
【００４４】
ここで、本実施形態のプロジェクタ１は、ＤＶＤコンテンツが再生されている状態で、電源キー４１，５１が操作された場合には、照度センサ３３の検知結果に応じて異なる動作を行うようになっている。具体的には、周囲の明るさが所定の明るさ以上の場合には、制御部２０は、ＤＶＤコンテンツの再生を停止させた後で、光源１１を消灯させてスタンバイ状態に移行させる。一方、周囲の明るさが所定の明るさよりも暗い場合には、プロジェクタ１は、ＤＶＤコンテンツの再生を一時停止させるとともに、白色の無地画像上にメッセージを重畳させた画像（照明画像）を画像投写部１０から投写して、投写面Ｓの周辺を照明することが可能になっている。
【００４５】
図５は、電源オンの状態で電源キー４１，５１が操作された際のプロジェクタ１の動作を説明するフローチャートであり、図６は、照明画像を示す図である。電源オンの状態でユーザが電源キー４１，５１を操作し、操作パネル２２又は受信部２４から電源キー４１，５１の操作に応じた操作信号が制御部２０に出力されると、制御部２０は、図５に示すフローに従って動作する。
【００４６】
図５に示すように、ステップＳ１０１では、制御部２０は、ＤＶＤ再生部２５がＤＶＤコンテンツを再生している状態か否かを判断する。そして、ＤＶＤコンテンツを再生中であればステップＳ１０４に移行し、ＤＶＤコンテンツを再生していない状態であればステップＳ１０２に移行する。
【００４７】
ＤＶＤ再生部２５がＤＶＤコンテンツの再生をしておらずステップＳ１０２に移行した場合には、制御部２０は、光源制御部３２に指示をして光源１１を消灯させる等の必要な終了動作を行い、続くステップＳ１０３では、電源回路３１に指示をして動作電力の供給を停止させ、プロジェクタ１をスタンバイ状態に移行させてフローを終了する。
【００４８】
一方、ＤＶＤ再生部２５がＤＶＤコンテンツを再生中であってステップＳ１０４に移行した場合には、制御部２０は、照度センサ３３に周囲の明るさ（照度）を検知させる。そして、続くステップＳ１０５では、制御部２０は、照度センサ３３の検知結果に基づいて、周囲の明るさが所定値（例えば、曇天時に照明機器を消灯させた室内の明るさに相当する照度）以上か否かを判断する。そして、周囲の明るさが所定値以上の場合には、ステップＳ１０６に移行し、所定値よりも低い（暗い）場合には、ステップＳ１０７に移行する。
【００４９】
周囲の明るさが所定値以上であってステップＳ１０６に移行した場合には、制御部２０は、ＤＶＤ再生部２５に指示をして、ＤＶＤコンテンツの再生を停止（終了）させる。その後、ステップＳ１０２に移行して光源１１を消灯させ、ステップＳ１０３にてプロジェクタ１をスタンバイ状態に移行させて、フローを終了する。
【００５０】
一方、周囲の明るさが所定値よりも低くステップＳ１０７に移行した場合には、制御部２０は、ＤＶＤ再生部２５に指示をして、ＤＶＤコンテンツの再生を一時停止させる。ここで、本明細書において、再生の「一時停止」とは、再生を中断することであり、その状態でＤＶＤコンテンツの再生が指示された場合には、中断された位置（場面）から再生が再開される。なお、再生を「停止」した状態で再生が指示された場合には、ＤＶＤコンテンツの最初から再生が開始される。
【００５１】
続くステップＳ１０８では、制御部２０は、画像投写部１０から照明画像を投写させる。具体的には、制御部２０は、画像処理部２６に指示をして、液晶ライトバルブ１２Ｒ，１２Ｇ，１２Ｂのすべての画素の光透過率を最大とする画像情報を出力させ、さらに、ＯＳＤ処理部２７に指示をして、所定のメッセージ画像を重畳させる。この結果、図６に示すように、白色の無地画像Ｐｗ上に所定のメッセージ画像Ｍｓが重畳された照明画像ＰＬが画像投写部１０から投写される。そして、この照明画像ＰＬが投写面Ｓで反射することにより、投写面Ｓの周辺が照明される。
【００５２】
図６に示すように、メッセージ画像Ｍｓには、ＤＶＤコンテンツの再生が一時停止中であることを示すメッセージに加えて、電源キー４１，５１を再度操作することによってスタンバイ状態（電源オフの状態）に移行できる旨と、ＤＶＤ操作キー４２，５２に含まれる再生キーを操作することによってＤＶＤコンテンツの再生を再開できる旨とを示すメッセージが表記されており、この照明画像ＰＬが投写されている状態では、ユーザは、メッセージ画像Ｍｓの案内に従った操作を行うことができる。
【００５３】
図５に戻って、ステップＳ１０９では、制御部２０は、操作パネル２２又は受信部２４から入力される操作信号に基づいて、再び電源キー４１，５１が操作されたか否かを判断する。そして、電源キー４１，５１が操作された場合には、ステップＳ１０２に移行して光源１１を消灯させ、ステップＳ１０３にてプロジェクタ１をスタンバイ状態に移行させて、フローを終了する。一方、電源キー４１，５１が操作されていない場合には、ステップＳ１１０に移行する。
【００５４】
ステップＳ１１０では、制御部２０は、操作パネル２２又は受信部２４から入力される操作信号に基づいて、ＤＶＤ操作キー４２，５２に含まれる再生キー（ＤＶＤコンテンツの再生を指示する操作キー）が操作されたか否かを判断する。そして、再生キーが操作された場合には、ステップＳ１１１に移行し、再生キーが操作されていない場合には、ステップＳ１０９に戻る。
【００５５】
再生キーが操作されてステップＳ１１１に移行した場合には、制御部２０は、画像処理部２６及びＯＳＤ処理部２７に照明画像ＰＬの投写を終了させる。具体的には、画像処理部２６に指示をして、白色の無地画像Ｐｗに代えてＤＶＤ画像を投写可能な状態にするとともに、ＯＳＤ処理部２７に指示をして、メッセージ画像Ｍｓの重畳を終了させる。そして、続くステップＳ１１２では、制御部２０は、ＤＶＤ再生部２５に指示をして、ＤＶＤコンテンツの再生を再開させ、フローを終了する。この結果、ＤＶＤ再生部２５は、一時停止を解除してＤＶＤメディアＭからの情報の読み取りを再開し、ステップＳ１０７で一時停止した場面からＤＶＤコンテンツの再生を開始する。
【００５６】
以上説明したように、本実施形態のプロジェクタ１によれば、以下の効果を得ることができる。
【００５７】
（１）本実施形態のプロジェクタ１によれば、ＤＶＤコンテンツを再生している状態で電源キー４１，５１が操作された場合に、再生を一時停止して、投写面Ｓの周辺を照明するための照明画像ＰＬを投写する。このため、ＤＶＤコンテンツの鑑賞を一時的に中断して他の作業を行う場合等に、照明機器を点灯させる必要がなくなる。そして、電源キー４１，５１は、操作パネル２２及びリモコン２３における操作キーの配列の中で端に位置しており、他の操作キーとの識別が容易であるため、暗い環境下であっても、再生の一時停止と照明画像ＰＬの投写を容易に指示することが可能となる。
【００５８】
（２）本実施形態のプロジェクタ１によれば、照度センサ３３の検知結果が所定値よりも低い（暗い）場合にのみ、再生の一時停止と照明画像ＰＬの投写とを行うため、照明画像ＰＬの投写が不要な明るい環境下では、電源キー４１，５１を本来の用途（電源のオンとオフとを切り替える用途）に用いることが可能となる。
【００５９】
（３）本実施形態のプロジェクタ１によれば、照明画像ＰＬの背景が白色光で形成されているため、違和感のない自然な照明を行うことが可能となる。
【００６０】
（４）本実施形態のプロジェクタ１によれば、照明画像ＰＬに、画像の再生が一時停止中であることを報知するメッセージ、及び以降の操作を案内するメッセージが含まれているため、ユーザの利便性が向上する。
【００６１】
（変形例）
また、上記実施形態は、以下のように変更してもよい。
【００６２】
上記実施形態では、電源キー４１，５１を複数の操作キーの配列の端に位置させているが、他の操作キーと容易に識別可能であれば、電源キー４１，５１の位置は端に限定されない。例えば、電源キー４１，５１を他の操作キーよりも大きくしたり、他の操作キーとは異なる形状や配色にしたり、電源キー４１，５１の近傍にＬＥＤ（Light Emitting Diode）等の発光装置を配置したりすることによって、電源キー４１，５１の識別を容易にしてもよい。また、電源キー４１，５１の識別を容易にするために、電源キー４１，５１と他の操作キーとの間隔を、他の操作キー同士の間隔に比べて広くするようにしてもよい。
【００６３】
上記実施形態では、ＤＶＤコンテンツの再生中に電源キー４１，５１が操作された際に、そのときの周囲の明るさを照度センサ３３で検知しているが、周囲の明るさを検知するタイミングはこれに限定されず、事前に（例えば、ＤＶＤコンテンツの再生を開始したときに）周囲の明るさを検知しておくようにしてもよい。
【００６４】
上記実施形態では、ＤＶＤコンテンツの再生中に電源キー４１，５１が操作された場合に、照度センサ３３の検知結果、即ち周囲の明るさに応じて照明画像ＰＬを投写するのかスタンバイ状態に移行するのかを判断しているが、周囲の明るさに拘わらず、ＤＶＤコンテンツの再生中に電源キー４１，５１が操作された場合には常に照明画像ＰＬを投写するようにしてもよい。この態様とすれば、照度センサ３３を備える必要はなくなる。
【００６５】
上記実施形態では、ＯＳＤ処理部２７によってメッセージ画像Ｍｓを重畳させる態様を示しているが、この態様に限定されない。例えば、メッセージを含んだ照明画像ＰＬを画像情報として予め記憶部２１等に記憶させておき、照明画像ＰＬを投写する際に、この画像情報を読み出すようにしてもよい。
【００６６】
上記実施形態において、照明画像ＰＬの背景が白色であることから、メッセージ画像Ｍｓは白色以外で形成されることになる。このため、メッセージ画像Ｍｓを小さくするほど白色の領域が増え、照明画像ＰＬをより明るくすることができる。また、メッセージ画像Ｍｓは、画像の再生が一時停止中であることを報知するメッセージ、及び以降の操作を案内するメッセージの双方を含んでいる必要はなく、いずれか一方であってもよい。或いは、メッセージ画像Ｍｓを重畳しないようにしてもよい。
【００６７】
上記実施形態では、照明画像ＰＬを投写する際、画像処理部２６がすべての画素の光透過率を最大にすることにより白色光からなる無地画像Ｐｗを形成し、これを照明画像ＰＬの背景としているが、照明として機能しうる輝度が得られれば、必ずしも光透過率を最大とする必要はない。また、照明画像ＰＬの背景は、白色にも無地にも限定されず、他の態様とすることも可能である。
【００６８】
上記実施形態では、ＤＶＤコンテンツを再生可能なＤＶＤ再生部２５を備えた構成を示しているが、ＤＶＤメディアＭ以外の記録媒体に記録された画像を再生可能な構成であってもよい。
【００６９】
上記実施形態では、光変調装置として３つの液晶ライトバルブ１２Ｒ，１２Ｇ，１２Ｂを用いた３板式のプロジェクタについて説明したが、これに限定されない。例えば、各画素の中にそれぞれＲ光、Ｇ光、Ｂ光を透過可能なサブ画素を含んだ１つの液晶ライトバルブによって画像を形成する態様とすることも可能である。
【００７０】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【００７１】
上記実施形態では、光源１１は、放電型の光源ランプ１１ａによって構成されているが、ＬＥＤ光源等の固体光源や、その他の光源を用いることもできる。
【図面の簡単な説明】
【００７２】
【図１】プロジェクタの斜視図。
【図２】プロジェクタの概略構成を示すブロック図。
【図３】操作パネルを示す平面図。
【図４】リモコンを示す平面図。
【図５】電源オンの状態で電源キーが操作された際のプロジェクタの動作を説明するフローチャート。
【図６】照明画像を示す図。
【符号の説明】
【００７３】
１…プロジェクタ、２…筐体、３…ディスクスロット、１０…画像投写部、１１…光源、１２Ｒ，１２Ｇ，１２Ｂ…液晶ライトバルブ、１３…投写レンズ、１４…ライトバルブ駆動部、２０…制御部、２１…記憶部、２２…操作パネル、２３…リモコン、２４…受信部、２５…ＤＶＤ再生部、２６…画像処理部、２７…ＯＳＤ処理部、２８…音声処理部、２９…音声出力部、３０…スピーカ、３１…電源回路、３２…光源制御部、３３…照度センサ、４１，５１…電源キー、４２，５２…ＤＶＤ操作キー、４３，５３…音量キー、ＰＬ…照明画像、Ｍｓ…メッセージ画像、Ｍ…ＤＶＤメディア、Ｓ…投写面。
【図１】
2009258333.tif 000003
【図２】
2009258333.tif 000004
【図３】
2009258333.tif 000005
【図４】
2009258333.tif 000006
【図５】
2009258333.tif 000007
【図６】
2009258333.tif 000008